(57)【要約】【課題】電気柵の電気柵本器の盗難を防止するための盗難防止具を提供すること。【解決手段】地中Ｇに埋設される本杭５と、本杭５の基端側に一端が連結されたワイヤ又はチェーン部材６と、本杭の基端側の係止孔５ａに挿入された状態で地中に埋設される固定杭７と、ワイヤ又はチェーン部材６の他端と電気柵の裸電線に衝撃電圧を供給する電気柵本器１とを着脱可能に連結する錠８とを備えた盗難防止具である。【選択図】図１
0003149862.tif 000002
【実用新案登録請求の範囲】
【請求項１】
地中に埋設される本杭と、
本杭の基端側に一端が連結されたワイヤ又はチェーン部材と、
本杭の基端側の係止孔に挿入された状態で地中に埋設される固定杭と、
ワイヤ又はチェーン部材の他端と電気柵の裸電線に衝撃電圧を供給する電気柵本器とを着脱可能に連結する錠とを備えた電気柵本器の盗難防止具。
【考案の詳細な説明】
【技術分野】
【０００１】
本考案は、電気柵において裸電線に衝撃電圧を供給する電気柵本器の盗難を防止するための盗難防止具に関する。
【背景技術】
【０００２】
従来から、猪やその他の害獣が田畑へ侵入するのを防止するために、電気柵が使用されている（例えば特許文献１参照）。電気柵によれば、多額の費用を要しないで、猪やその他の害獣の田畑や果樹園等への侵入を防止できる。
【０００３】
電気柵の代表的な構成例を図３に示す。電気柵は電気柵本器１、裸電線２、碍子３、及び電線用支柱４を基本構成としている。そして、その組み立てに際しては、田畑の周囲に電線用支柱４を一定間隔で立設し、これに碍子３を取り付け、この碍子３に裸電線２を係止させることによって、裸電線２を田畑の周囲に張り巡らせる。
【０００４】
その使用に際しては、田畑の周囲に張り巡らせた裸電線２に、電気柵本体１により発生させたパルス状の衝撃電圧を印加する。この裸電線２に触れた猪やその他の害獣は、電撃を受け退散する。また、この電撃を受けそして電撃を学習した猪やその他の害獣は、この裸電線２等を恐れ、裸電線２に近づかなくなる。これが電気柵の効能で、広く、中山間部の農地で使用されている。
【０００５】
ところで、電気柵は中山間部の農地など、人気の少ないところに設置される場合が多いことから、電気柵本器が盗難されることがある。すなわち、従来の電気柵本器は、図３に示した本器用支柱４０に係止されているだけなので、容易に持ち去りやすい。
【０００６】
近年、猪やその他の害獣による被害が増加し、電気柵の需要が拡大していることに伴い、電気柵本器の盗難も増加しており、盗難防止の対策が求められている。
【先行技術文献】
【特許文献】
【０００７】
【特許文献１】特開２００７−１７５００７号公報
【考案の概要】
【考案が解決しようとする課題】
【０００８】
本考案が解決しようとする課題は、電気柵の電気柵本器の盗難を防止するための盗難防止具を提供することにある。
【課題を解決するための手段】
【０００９】
本考案に係る電気柵本器の盗難防止具は、地中に埋設される本杭と、本杭の基端側に一端が連結されたワイヤ又はチェーン部材と、本杭の基端側の係止孔に挿入された状態で地中に埋設される固定杭と、ワイヤ又はチェーン部材の他端と電気柵の裸電線に衝撃電圧を供給する電気柵本器とを着脱可能に連結する錠とを備えたことを特徴とするものである。
【考案の効果】
【００１０】
本考案に係る電気柵本器の盗難防止具によれば、電気柵本器が、錠とワイヤ又はチェーン部材を介して地中に埋設された本杭と連結され、しかも固定杭が、本杭の基端側の係止孔に挿入された状態で地中に埋設されるので、人力で本杭及び固定杭を引き抜くことは困難となる。したがって、電気柵本器の取り外しが困難となり、盗難を防止できる。
【００１１】
また、ワイヤ又はチェーン部材と電気柵本器とは錠を介して連結されているので、鍵で錠を解錠することにより、ワイヤ又はチェーン部材と電気柵本器とを分離できる。したがって、鍵を持っている電気柵の所有者や管理者であれば、必要に応じて電気柵本器を容易に取り外すことができる。
【図面の簡単な説明】
【００１２】
【図１】本考案に係る電気柵本器の使用状態を示す斜視図である。
【図２】チェーン又はワイヤ部材の他端（基端）部分の使用時の状態を示す説明図である。
【図３】電気柵の代表的な構成を示す説明図である。
【考案を実施するための形態】
【００１３】
以下、図面に示す実施例に基づき本考案の実施の形態を説明する。
【００１４】
図１は、本考案に係る電気柵本器の使用状態を示す斜視図である。
【００１５】
電気柵の本器用支柱４０に電気柵本器１が係止されている。一例としては、電気柵本器１は、その背面に設けた係合凹部を本器用支柱４０に設けたピンに引っ掛けることにより本器用支柱４０に係止される。電気柵本器１は、図３で説明したように、電気柵の裸電線にパルス状の衝撃電圧を印加する。
【００１６】
電気柵本器１の盗難を防止するための盗難防止具は、次の（イ）から（ニ）を備えている。
（イ）地中Ｇに埋設される本杭５
（ロ）本杭５の基端側の係止孔５ａに一端が連結されたワイヤ又はチェーン部材６
（ハ）本杭５の基端側の係止孔５ａに挿入された状態で地中に埋設される固定杭７
（ニ）ワイヤ又はチェーン部材６の他端と電気柵本器１とを着脱可能に連結する錠８
【００１７】
本杭５及び固定杭７は、例えば硬質の金属材料からなり、その先端は地中Ｇの埋設しやすいように尖っている。また、本杭５及び固定杭７の基端部（頭部）は、木槌などで叩きやすいように輪の形（わっか状）に形成されている。そして、固定杭７は、わっか状に形成された本杭５の基端部内側の係止孔５ａに挿入された状態で地中に埋設される。
【００１８】
なお、本杭５及び固定杭７の形状は、図示のような棒状のものには限定されず、例えば板状でも良い。また、本杭５及び固定杭７の材質も硬質の金属材料には限定されず、要するに杭としての機能を果たす堅牢な材質であれば良い。
【００１９】
ワイヤ又はチェーン部材６は、通常のペンチなどでは容易に切断されない硬質の金属材料等の堅牢な材質からなり、その一端（先端）は、本杭５の係止孔５ａに取り外し不能に連結されている。ワイヤ又はチェーン部材６の他端（基端）は、錠８を介して電気柵本器１の取っ手部１ａに着脱可能に連結される。すなわち、ワイヤ又はチェーン部材６と電気柵本器１の取っ手部１ａとを錠８を介して連結した状態では、ワイヤ又はチェーン部材６と電気柵本器１との分離は不可能であり、鍵で錠８を解錠すれば、ワイヤ又はチェーン部材６と電気柵本器１との分離が可能となる。錠８としては、例えば南京錠を使用する。
【００２０】
以上の構成を有する電気柵本器の盗難防止具は、例えば以下の要領で設置される。
【００２１】
（１）電気柵本器１が取り付けられている本器用支柱４０の近傍の地面に、深さ約３０ｃｍほどの穴を掘る。
【００２２】
（２）その穴に、本杭５を木槌等を利用して地面に対して約４５度の角度で打ち込む。
【００２３】
（３）本杭５を打ち込んだ状態で、チェーン又はワイヤ部材６を地面に対して垂直に軽く引っ張る。そして、チェーン又はワイヤ部材に設けたマーカー部（実施例では着色線）の上端が、後で土を被せ戻したときに隠れる位置にあることを確認する。
【００２４】
（４）固定杭７の先端を本杭５の基端側の係止孔５ａの中心にあてがい、木槌等を利用して、固定杭７を本杭の長手方向に対してほぼ垂直に打ち込む。これによって固定杭７は、本杭５の基端側の係止孔５ａに挿入された状態となる。
【００２５】
（５）チェーン又はワイヤ部材６の他端（基端）を電気柵本器の取っ手部１ａに通し、その他端（基端）を折り返して、図２のようにチェーン又はワイヤ部材６の他端（基端）近傍部分と交差させる。
【００２６】
（６）図２のＡ部およびＢ部を跨ぐように錠８をかける。これによってチェーン又はワイヤ部材６の他端（基端）が電気柵本器の取っ手部１ａと錠８を介して連結される。なお、錠８のかけ方は、図２の例には限定されず、チェーン又はワイヤ部材６の他端（基端）が電気柵本器の取っ手部１ａと錠８を介して連結されるようなかけ方であれば、いかなるかけ方であっても良い。
【００２７】
（７）本杭５、固定杭７及びチェーン又はワイヤ部材のマーカー部６ａの上端までを埋設するために、土を埋め戻し、その埋め戻した部分をしっかりと踏み固める。
【００２８】
（８）チェーン又はワイヤ部材のマーカー部６ａが地中に隠れたことを確認する。
【００２９】
（９）チェーン又はワイヤ部材６を引っ張り、本杭５と固定杭７が抜けないことを確認する。
【００３０】
以上のように盗難防止具を設置することで、電気柵本器１が、錠８とワイヤ又はチェーン部材６を介して地中に埋設された本杭５と連結され、しかも固定杭７が、本杭５の基端側の係止孔５ａに挿入された状態で地中に埋設されるので、強固に固定される。本考案者の実験では、本杭５及び固定杭７を引き抜くのに４１０ｋｇの力を要した。すなわち、本杭５及び固定杭７を人力で引き抜くことは不可能であり、これによって電気柵本器１の盗難を防止できる。
【００３１】
また、ワイヤ又はチェーン部材６と電気柵本器１とは錠８を介して連結されているので、鍵で錠８を解錠することにより、ワイヤ又はチェーン部材６と電気柵本器１とを分離できる、したがって、鍵を持っている電気柵の所有者や管理者であれば、必要に応じて電気柵本器１を容易に取り外すことができる。
【符号の説明】
【００３２】
１  電気柵本器
１ａ  取っ手部
２  裸電線
３  碍子
４  電線用支柱
５  本杭
５ａ  係止孔
６  チェーン又はワイヤ部材
６ａ  マーカー部
７  固定杭
８  錠
４０  本器用支柱
Ｇ  地中
【図１】
0003149862.tif 000003
【図２】
0003149862.tif 000004
【図３】
0003149862.tif 000005